(57)【特許請求の範囲】
【請求項１】
アーム（５）に連結したバケットリンク（１３）にプッシュリンク（１０）の一端部を連結し、
バケット（７）に一対の取付用ブラケット（３５）を固着し、この一対の取付用ブラケット（３５）に、第１ピン（５１）が挿通する第１ピン孔（３７）と第２ピン（５３）が挿通する第２ピン孔（３８）をそれぞれ形成し、
前記第１ピン（５１）に係脱自在なフック（４５），第３ピン孔（４２），第４ピン孔（４３）を有する一対の取付用リンク（４０）を連杆（４１）で間隔を置いて固着し、この一対の取付用リンク（４０）を、第３ピン孔（４２）に挿通した第３ピン（５５）で前記アーム（５）に連結し、
前記取付用リンク（４０）の第４ピン孔（４３）に嵌合した筒軸（４６）を前記プッシュリンク（１０）の他端部に形成した第５ピン孔（４９）に嵌挿して取付用リンク（４０）とプッシュリンク（１０）を連結し、前記一対の取付用リンク（４０）のフック（４５）を第１ピン（５１）にそれぞれ係合し、前記一対の取付用ブラケット（３５）の第２ピン孔（３８）と前記筒軸（４６）に亘って第２ピン（５３）を挿通して一対の取付用リンク（４０）とプッシュリンク（１０）を一対の取付用ブラケット（３５）に連結したことを特徴とするバケットの取付構造。
【請求項２】
前記連杆（４１）と他方の取付用リンク（４０）をボルト（４１ａ）で着脱自在に連結し、筒軸（４６）を一方の取付用リンク（４０）の第４ピン孔（４３）に嵌合して固着した請求項１記載のバケットの取付構造。
【発明の詳細な説明】
【０００１】
【発明の属する技術分野】
本発明は、パワーショベルなどの掘削作業機械の機械本体に対して前後方向に揺動するアームにバケットを取付ける構造に関する。
【０００２】
【従来の技術】
パワーショベルとしては例えば図１に示すように、走行体１に機械本体２を旋回可能に取付け、この機械本体２にブーム３をブームシリンダ４で上下方向に揺動自在に取付け、そのブーム３にアーム５をアームシリンダ６で前後方向に揺動自在に取付け、このアーム５にバケット７をバケットシリンダ８で前後揺動自在に取付けたものが知られている。
【０００３】
前述のパワーショベルにおいては、バケット７をアーム５に第１のピン９で連結すると共に、バケット７をプッシュリンク１０に第２のピン１１で連結してバケット７をアーム５に取付けており、これによってバケットシリンダ８のピストンロッド１２を伸縮することでバケットリンク１３、プッシュリンク１０を介してバケット７がアーム５に対して前後方向に揺動する。
【０００４】
このようなパワーショベルはバケット７による掘削作業が主な作業であるが、そのバケット７を外してブレーカなどのアタッチメントをアーム５に取付けてブレーカ作業などの補助作業を行なうことがある。
【０００５】
第１のピン９と第２のピン１１を抜き出しすればアーム５からバケット７を外すことができるし、第１のピン９と第２のピン１１を挿入すればアーム５にバケット７を取付けできるが、第１のピン９、第２のピン１１を挿入するにはアーム５、プッシュリンク１０のピン孔とバケット７のピン孔を一致させる必要があり、そのピン孔が一致するように位置決めする作業が面倒である。
【０００６】
このことを解消するために、実開平６−５７９５３号公報に示すバケットの取付構造が提案されている。この取付構造は図２に示すようにアーム側取付部１４とバケット取付部１５を備えた連結部材１６のアーム側取付部１４をアーム５とプッシュリンク１０にピン１７によりそれぞれ取付け、バケット取付部１５のピン孔１８とバケット７のピン孔１９に第１のピンを挿入し、バケット７に設けた第２のピン１９ａをアーム取付部１５の切欠部２０に係合してバケット７をアーム５に取付ける構造である。
【０００７】
【発明が解決しようとする課題】
実開平６−５７９５３号公報に示すバケットの取付構造であると、一本のピンを挿入、抜き出しすればバケットを取付け、外しできるが、バケット７の取付け位置がバケット取付部１５の切欠部２０とピン１７との間の寸法Ｓだけ図１に示す通常の取付構造に対してずれるので、図３に示すように、アーム５を後方に揺動状態でバケット７を前後に揺動する時にバケット７がブーム３に干渉することがある。
【０００８】
そこで、本発明は前述の課題を解決できるようにしたバケットの取付構造を提供することを目的とする。
【０００９】
【課題を解決するための手段及び作用、効果】
第１の発明は、アーム５に連結したバケットリンク１３にプッシュリンク１０の一端部を連結し、
バケット７に一対の取付用ブラケット３５を固着し、この一対の取付用ブラケット３５に、第１ピン５１が挿通する第１ピン孔３７と第２ピン５３が挿通する第２ピン孔３８をそれぞれ形成し、
前記第１ピン５１に係脱自在なフック４５，第３ピン孔４２，第４ピン孔４３を有する一対の取付用リンク４０を連杆４１で間隔を置いて固着し、この一対の取付用リンク４０を、第３ピン孔４２に挿通した第３ピン５５で前記アーム５に連結し、
前記取付用リンク４０の第４ピン孔４３に嵌合した筒軸４６を前記プッシュリンク１０の他端部に形成した第５ピン孔４９に嵌挿して取付用リンク４０とプッシュリンク１０を連結し、前記一対の取付用リンク４０のフック４５を第１ピン５１にそれぞれ係合し、前記一対の取付用ブラケット３５の第２ピン孔３８と前記筒軸４６に亘って第２ピン５３を挿通して一対の取付用リンク４０とプッシュリンク１０を一対の取付用ブラケット３５に連結したことを特徴とするバケットの取付構造である。
【００１０】
第１の発明によれば、取付用リンク４０のフック４５を第１ピン５１に係合し、その状態で取付用リンク４０又はバケット７を揺動することで第２ピン５３を筒軸４６に挿通して取付用リンク４０、プッシュリンク１０をバケット７に連結できる。
【００１１】
これによって、アーム５にバケット７を簡単に取付けできる。
【００１２】
また、筒軸４６から第２ピン５３を抜き出してアーム５からバケット７を分離した時にプッシュリンク１０と取付用リンク４０が筒軸４６で連結されているから、バケット７の取付け、外し作業がより簡単となる。
【００１３】
また、取付用リンク４０のフック４５が第１ピン５１に係合し、取付用リンク４０とプッシュリンク１０が同一の第２ピン５３でバケット７に連結してあるから、通常の取付構造とほぼ同一となる。これによって、アーム５を後方に揺動してバケット７を前後に揺動してもバケット７がブームに干渉することがない。
【００１６】
第２の発明は、第１の発明における連杆４１と他方の取付用リンク４０をボルト４１ａで着脱自在に連結し、筒軸４６を一方の取付用リンク４０の第４ピン孔４３に嵌合して固着したバケットの取付構造である。
【００１７】
第２の発明によれば、ボルト４１ａを弛めて他方の取付用リンク４０を外すことで一対の取付用リンク４０とプッシュリンク１０を連結したり、分離したりできる。
【００１８】
【発明の実施の形態】
図４はアームとバケットの分解斜視図であり、アーム５の先端部にはアーム側ピン孔３０が幅方向に貫通して形成してあり、このアーム側ピン孔３０よりも基端寄りにバケットリンク用ピン孔３１が形成してある。
【００１９】
バケット７はほぼＵ字状の底板３２と一対の側板３３により成るバケット本体３４と、このバケット本体３４の背面側に取付けた一対の取付用ブラケット３５とを備え、バケット本体３４の先端縁に掘削刃３６が取付けてある。前記各取付用ブラケット３５には第１ピン孔３７と第２ピン孔３８が形成され、各取付用ブラケット３５の外面における第１・第２ピン孔３７，３８の周縁部には筒状のボス部３９がそれぞれ設けてある。
【００２０】
一対の取付用リンク４０，４０は連杆４１で所定の間隔を置いて平行に連結してある。この取付用リンク４０には第３ピン孔４２と第４ピン孔４３が形成され、その第３ピン孔４２の周縁部に筒状のボス部４４が設けてあり、取付用リンク４０の第３ピン孔４２寄りにフック４５が一体的に設けてある。
【００２１】
前記一方の取付用リンク４０の内面には筒軸４６を備えたプレート４７がボルト４８で固着され、その筒軸４６は第４ピン孔４３に嵌合している。前記プッシュリンク１０は第５ピン孔４９と第６ピン孔５０を有し、その第５ピン孔４９に前記筒軸４６が回転可能に挿入するようにしてある。
【００２２】
前記第１ピン孔３７には第１ピン５１が挿入されてボルト５２で抜け止めされる。前記第２ピン孔３８には第２ピン５３が挿入されて抜け止めピン５４で抜け止めされる。
【００２３】
図５と図６に示すように、アーム側ピン孔３０と第３ピン孔４２に第３ピン５５が挿入されて取付用リンク４０がアーム５に揺動自在に連結してある。取付用リンク４０のフック４５が第１ピン５１に係合している。第２ピン５３は筒軸４６を貫通して他方の取付用リンク４０の第４ピン孔４３に嵌合して、一対の取付用リンク４０にプッシュリンク１０を第２ピン５３で揺動自在に連結している。
【００２４】
前記アーム５のバケットリンク用ピン孔３１にバケットリンク１３が第４ピン５６で揺動自在に連結され、バケットリンク１３とプッシュリンク１０か第５ピン５７で揺動自在に連結されている。
【００２５】
次にバケットをアームに取付ける作業手順を説明する。
図７に示すようにバケット７を地面に置く。アーム５にはバケットリンク１３、プッシュリンク１０、取付用リンク４０を取付ける。この時、取付用リンク４０に固着した筒軸４６がプッシュリンク１０の第５ピン孔４９に嵌合している。
【００２６】
前述の状態でアーム５を揺動し取付用リンク４０のフック４５を第１ピン５１に係合し、アーム５を上方に移動してバケット７を地面から持ち上げる。バケットシリンダ８を伸長して筒軸４６を第２ピン孔３８に合致し、第２ピン５３を第２ピン孔３８、筒軸４６、他方の取付用リンク４０の第４ピン孔４３に嵌合してバケット７と取付用リンク４０を連結する。
【００２７】
なお、前述の筒軸４６と第２ピン孔３８を合せる時に微操作が必要な場合には、バケット７を作業者が手でゆすりながら第２ピン５３を挿入すれば良い。
【００２８】
バケット７を外す時には第２ピン５３を抜き出してバケット７と取付用リンク４０を分離し、バケット７を地面に置いてフック４５を第１ピン５１から離脱すれば良い。この時、第２ピン５３を抜いても取付用リンク４０とプッシュリンク１０が連結された状態となり、バケットを簡単に外すことができるし、バケット７を簡単に取付けできる。
【００２９】
図８と図９は第２の実施の形態を示し、一対の取付用ブラケット３５の内側面に一対の取付用リンク４０を位置させ、その一対の取付用リンク４０の第４ピン孔４３に筒軸４６の両端部を嵌合して取付用リンク４０とプッシュリンク１０を連結してある。
【００３０】
このように構成すれば、一対の取付用リンク４０が左右対称となるし、筒軸４６で連結されるからバケット７を安定して作動できる。
【００３１】
図１０は取付用リンク４０の他の実施の形態を示し、一方の取付用リンク４０に連杆４１を固着し、この連杆４１に他方の取付用リンク４０をボルト４１ａで固着して分割可能タイプとしてある。筒軸４６は一方の取付用リンク４０の第４ピン孔４３に嵌合して固着してある。このようにすれば、他方の取付用リンク４０を外すことでプッシュリンク１０と取付用リンク４０を連結したり、分離できる。
【図面の簡単な説明】
【図１】パワーショベルの全体正面図である。
【図２】従来例を示す説明図である。
【図３】従来例の不具合説明図である。
【図４】本発明の第１の実施の形態を示すアームとバケットの分解斜視図である。
【図５】アームにバケットを取付けた状態の正面図である。
【図６】各ピン部分の中心を結ぶ展開断面図である。
【図７】バケットの取付け動作説明図である。
【図８】第２の実施の形態を示すアームとバケットの取付けた状態の正面図である。
【図９】各ピン部分の中心を結ぶ展開断面図である。
【図１０】取付用リンクの他の例を示す断面図である。
【符号の説明】
５…アーム
７…バケット
１０…プッシュリンク
１３…バケットリンク
３５…取付用ブラケット
３７…第１ピン孔
３８…第２ピン孔
４０…取付用リンク
４１ａ…ボルト
４２…第３ピン孔
４３…第４ピン孔
４５…フック
４６…筒軸
４８…ボルト
４９…第５ピン孔
５１…第１ピン
５３…第２ピン
５５…第３ピン
【図１】
0003710012.tif 000002
【図２】
0003710012.tif 000003
【図３】
0003710012.tif 000004
【図４】
0003710012.tif 000005
【図５】
0003710012.tif 000006
【図６】
0003710012.tif 000007
【図７】
0003710012.tif 000008
【図８】
0003710012.tif 000009
【図９】
0003710012.tif 000010
【図１０】
0003710012.tif 000011